(57)【要約】【課題】同期判断の際にオフセット検出に伴うシンドローム演算処理が不要であり、処理負荷が軽減され、かつ早期に同期確立できるＲＤＳ対応受信装置を提供する。【解決手段】ＲＤＳデータを復調する復調器１１０と、復調ＲＤＳデータをブロックデータに変換して出力するレジスタ１２０と、パターンマッチフラグ信号及び同期フラグ信号の値に基づいてオフセット語を予測して出力するオフセット生成部１４０と、予測オフセット語を用いて前記ブロックデータのエラー訂正を行い、エラー訂正数と訂正閾値との比較結果から前記予測オフセット語が正しいか否か判定し、前記パターンマッチフラグ信号を出力する誤り訂正処理部１３０と、予測オフセット語がオフセットシーケンスパターンに合致しているか否かを検出し、ＲＤＳブロック同期が確立しているか否か判定して前記同期フラグ信号を出力する同期判定部１５０と、を備える。【選択図】図１
2009105536.tif 000002
【特許請求の範囲】
【請求項１】
受信放送波に含まれるＲＤＳデータを復調し、復調ＲＤＳデータを出力する復調器と、
前記復調ＲＤＳデータをブロックデータに変換して出力するレジスタと、
パターンマッチフラグ信号及び同期フラグ信号が与えられ、前記パターンマッチフラグ信号及び前記同期フラグ信号の値に基づいて前記ブロックデータのオフセット語を予測し、予測オフセット語を出力するオフセット生成部と、
前記予測オフセット語及び前記ブロックデータが与えられ、前記予測オフセット語を用いて前記ブロックデータのエラー検出及びエラー訂正を行い、エラー訂正数をカウントし、前記エラー訂正数と所定の訂正閾値とを比較し、比較結果に基づいて前記予測オフセット語が正しいか否か判定し、判定結果に基づいて前記パターンマッチフラグ信号を出力する誤り訂正処理部と、
前記予測オフセット語及び前記パターンマッチフラグ信号が順次与えられ、正しいと判定された予測オフセット語が所定のオフセットシーケンスパターンに合致しているか否かを検出し、検出結果に基づいてＲＤＳブロック同期が確立しているか否か判定し、判定結果に基づいて前記同期フラグ信号を出力する同期判定部と、
を備えるＲＤＳ対応受信装置。
【請求項２】
前記誤り訂正処理部は、
前記予測オフセット語及び前記ブロックデータが与えられ、前記予測オフセット語を用いて前記ブロックデータのエラー検出及びエラー訂正を行い、エラー訂正数をカウントして出力するエラー訂正部と、
前記エラー訂正数と前記訂正閾値とを比較し、前記エラー訂正数が前記訂正閾値以下の場合は前記予測オフセット語が正しく、前記エラー訂正数が前記訂正閾値より大きい場合は前記予測オフセット語が誤っていると判定し、判定結果に基づいて前記パターンマッチフラグ信号を出力するパターン判定部と、
を有することを特徴とする請求項１に記載のＲＤＳ対応受信装置。
【請求項３】
受信放送波に含まれるＲＤＳデータを復調し、復調ＲＤＳデータを出力する復調器と、
前記復調ＲＤＳデータをブロックデータに変換して出力するレジスタと、
パターンマッチフラグ信号及び同期フラグ信号が与えられ、前記パターンマッチフラグ信号及び前記同期フラグ信号の値に基づいて前記ブロックデータのオフセット語を予測し、予測オフセット語を出力するオフセット生成部と、
検算フラグ信号、エラー訂正ブロックデータ、前記ブロックデータが与えられ、前記検算フラグ信号が第１の値の場合は前記ブロックデータを選択して出力し、前記検算フラグ信号が前記第１の値と異なる第２の値の場合は前記エラー訂正ブロックデータを選択して出力するマルチプレクサと、
前記予測オフセット語、前記マルチプレクサの出力データ及び前記検算フラグ信号が与えられ、前記検算フラグ信号が前記第１の値の場合は、前記予測オフセット語を用いて前記ブロックデータのエラー検出及びエラー訂正を行い、エラー訂正数をカウントし、前記エラー訂正数と所定の訂正閾値とを比較し、比較結果に基づいて前記予測オフセット語が正しいか否か判定し、判定結果に基づいて前記パターンマッチフラグ信号を出力し、前記検算フラグ信号が前記第２の値の場合は、前記予測オフセット語を用いて前記エラー訂正ブロックデータのエラー検出を行い、検出結果に基づいて前記予測オフセット語が正しいか否か判定し、判定結果に基づいて前記パターンマッチフラグ信号を出力する誤り訂正処理部と、
前記誤り訂正処理部にてエラー訂正された前記ブロックデータを与えられて格納し、前記エラー訂正ブロックデータとして出力する訂正データレジスタと、
前記予測オフセット語及び前記パターンマッチフラグ信号が順次与えられ、正しいと判定された前記予測オフセット語が所定のオフセットシーケンスパターンに合致しているか否かを検出し、検出結果に基づいてＲＤＳブロック同期が確立しているか否か判定し、判定結果に基づいて前記同期フラグ信号を出力する同期判定部と、
を備えるＲＤＳ対応受信装置。
【請求項４】
第１の訂正閾値、前記第１の訂正閾値より大きい第２の訂正閾値、及び前記同期フラグ信号が与えられ、前記同期フラグ信号の値に基づいて前記第１の訂正閾値又は前記第２の訂正閾値のいずれか一方を選択し、前記所定の訂正閾値として前記誤り訂正処理部へ出力する第２のマルチプレクサをさらに備えることを特徴とする請求項１乃至３のいずれかに記載のＲＤＳ対応受信装置。
【請求項５】
前記オフセット生成部は複数種類の前記予測オフセット語を出力し、
前記誤り訂正処理部は複数種類の前記予測オフセット語のそれぞれを用いて前記ブロックデータのエラー訂正を行い、エラー訂正数をカウントし、前記エラー訂正数が前記訂正閾値以下となる前記予測オフセット語が複数ある場合、前記エラー訂正数が最小の前記予測オフセット語を正しいと判定することを特徴とする請求項１乃至４のいずれかに記載のＲＤＳ対応受信装置。
【発明の詳細な説明】
【技術分野】
【０００１】
本発明は、ＲＤＳ対応受信装置に関するものである。
【背景技術】
【０００２】
ＦＭ放送プログラムに放送波以外の付加データを重畳し、プログラム名、プログラムタイプを自動受信したり、受信状態が悪くなった場合に同一プログラムを放送している代替局を自動サーチできるようにしたりするＲＤＳ（Radio Data System）が実用化されている。
【０００３】
ＲＤＳデータは１グループ１０４ビットとしてグループ単位で繰り返し放送される。各グループは４ブロックからなり、各ブロックは１６ビットの情報語と１０ビットの付加語とから構成される。付加語は、情報語から誤り訂正符号のシンドローム計算により導かれる検査語と、ブロック識別のためのオフセット語との排他的論理和により生成される。
【０００４】
検査語は放送波受信の際のマルチパスノイズ等の影響により発生する受信データの誤りからデータを保護するために付加されるものであり、短縮化巡回符号に基づく。
【０００５】
ＲＤＳデータグループ中の４つのブロックに付加されるオフセット語はそれぞれ順番にＡ→Ｂ→Ｃ（又はＣ′）→Ｄとなっており、オフセット語を判断することで何番目のブロックデータなのかを判断することが出来る。
【０００６】
ＲＤＳ受信機の同期検出回路は、まず２６ビットのデータを取り込み、シンドローム演算によりオフセット語一致が検出されるまで１ビットずつシフトしていく。オフセット語一致検出されたら、次の２６ビットを取り込んでオフセット語一致検出し、このブロックと１つ前のブロックがオフセットシーケンスパターンに合致しているかを確認した時点で、ブロック同期状態と判断していた。
【０００７】
しかし、このような同期判定方法では、マルチパス妨害等の受信状態の悪化の影響で最初のブロックのオフセット語一致検出が誤判断であった場合、さらに２６ビット取り込んでオフセット語一致検出を行ったときに、同期が取れていないことが分かる。その場合、オフセット語一致が検出されるまで再び１ビットずつシフトしていくことになり、同期判定ができるまで長い時間を要するという問題を有していた。
【０００８】
このような問題を解決するため、シンドローム演算により最初のオフセット語一致検出がされた後も、１ビットデータを取り込む毎に一致判定を行うＲＤＳ受信機が提案されている（例えば特許文献１参照）。これにより最初のオフセット語一致検出が誤判断であったとしても正常なデータ取り込みの復帰を速め、同期判断を速く行うことができる。
【０００９】
しかし、上記のようなＲＤＳ受信機はオフセット語一致検出を行う際にシンドローム演算処理が必要なため、処理負荷が重い。また、弱電界時などの受信状況が良くない場合は受信データにエラーが含まれることが多く、同期確立（検出）に時間がかかっていた。
【特許文献１】特開平８−２５６１３５号公報
【発明の開示】
【発明が解決しようとする課題】
【００１０】
本発明は同期判断の際にオフセット検出に伴うシンドローム演算処理が不要であり、処理負荷が軽減され、かつ早期に同期確立できるＲＤＳ対応受信装置を提供することを目的とする。
【課題を解決するための手段】
【００１１】
本発明の一態様によるＲＤＳ対応受信装置は、受信放送波に含まれるＲＤＳデータを復調し、復調ＲＤＳデータを出力する復調器と、前記復調ＲＤＳデータをブロックデータに変換して出力するレジスタと、パターンマッチフラグ信号及び同期フラグ信号が与えられ、前記パターンマッチフラグ信号及び前記同期フラグ信号の値に基づいて前記ブロックデータのオフセット語を予測し、予測オフセット語を出力するオフセット生成部と、前記予測オフセット語及び前記ブロックデータが与えられ、前記予測オフセット語を用いて前記ブロックデータのエラー検出及びエラー訂正を行い、エラー訂正数をカウントし、前記エラー訂正数と所定の訂正閾値とを比較し、比較結果に基づいて前記予測オフセット語が正しいか否か判定し、判定結果に基づいて前記パターンマッチフラグ信号を出力する誤り訂正処理部と、前記予測オフセット語及び前記パターンマッチフラグ信号が順次与えられ、正しいと判定された予測オフセット語が所定のオフセットシーケンスパターンに合致しているか否かを検出し、検出結果に基づいてＲＤＳブロック同期が確立しているか否か判定し、判定結果に基づいて前記同期フラグ信号を出力する同期判定部と、を備えるものである。
【００１２】
また、本発明の一態様によるＲＤＳ対応受信装置は、受信放送波に含まれるＲＤＳデータを復調し、復調ＲＤＳデータを出力する復調器と、前記復調ＲＤＳデータをブロックデータに変換して出力するレジスタと、パターンマッチフラグ信号及び同期フラグ信号が与えられ、前記パターンマッチフラグ信号及び前記同期フラグ信号の値に基づいて前記ブロックデータのオフセット語を予測し、予測オフセット語を出力するオフセット生成部と、検算フラグ信号、エラー訂正ブロックデータ、前記ブロックデータが与えられ、前記検算フラグ信号が第１の値の場合は前記ブロックデータを選択して出力し、前記検算フラグ信号が前記第１の値と異なる第２の値の場合は前記エラー訂正ブロックデータを選択して出力するマルチプレクサと、前記予測オフセット語、前記マルチプレクサの出力データ及び前記検算フラグ信号が与えられ、前記検算フラグ信号が前記第１の値の場合は、前記予測オフセット語を用いて前記ブロックデータのエラー検出及びエラー訂正を行い、エラー訂正数をカウントし、前記エラー訂正数と所定の訂正閾値とを比較し、比較結果に基づいて前記予測オフセット語が正しいか否か判定し、判定結果に基づいて前記パターンマッチフラグ信号を出力し、前記検算フラグ信号が前記第２の値の場合は、前記予測オフセット語を用いて前記エラー訂正ブロックデータのエラー検出を行い、検出結果に基づいて前記予測オフセット語が正しいか否か判定し、判定結果に基づいて前記パターンマッチフラグ信号を出力する誤り訂正処理部と、前記誤り訂正処理部にてエラー訂正された前記ブロックデータを与えられて格納し、前記エラー訂正ブロックデータとして出力する訂正データレジスタと、前記予測オフセット語及び前記パターンマッチフラグ信号が順次与えられ、正しいと判定された前記予測オフセット語が所定のオフセットシーケンスパターンに合致しているか否かを検出し、検出結果に基づいてＲＤＳブロック同期が確立しているか否か判定し、判定結果に基づいて前記同期フラグ信号を出力する同期判定部と、を備えるものである。
【発明の効果】
【００１３】
本発明によれば、同期判断の際にオフセット検出に伴うシンドローム演算処理が不要であり、処理負荷が軽減され、かつ早期に同期確立できる。
【発明を実施するための最良の形態】
【００１４】
以下、本発明の実施の形態によるＲＤＳ対応受信装置を図面に基づいて説明する。
【００１５】
（第１の実施形態）図１に本発明の第１の実施形態に係るＲＤＳ対応受信装置の概略構成を示す。ＲＤＳ対応受信装置はＲＤＳ復調器１１０、レジスタ１２０、誤り訂正処理部１３０、オフセット生成部１４０、同期判定部１５０、訂正データレジスタ１６０、及びコントローラ１７０を備える。誤り訂正処理部１３０はエラー訂正部１３１及びパターン判定部１３２を有する。
【００１６】
ＲＤＳ復調器１１０は受信放送波に含まれるＲＤＳデータの復調を行う。復調されたＲＤＳデータはクロック同期でレジスタ１２０に入力される。
【００１７】
ＲＤＳデータは１グループ１０４ビットとしてグループ単位で繰り返し放送される。各グループは４ブロックからなり、各ブロックは１６ビットの情報語と１０ビットの付加語とから構成される。そのため、レジスタ１２０は２６ビット（＝１６ビット＋１０ビット）のＳＩＰＯ（Serial Input Parallel Output：直列入力並列出力）レジスタである。
【００１８】
付加語は、情報語から誤り訂正符号のシンドローム計算により導かれる検査語と、ブロック識別のためのオフセット語との排他的論理和により生成される。オフセット生成部１４０はオフセット語Ａ、Ｂ、Ｃ（又はＣ′）、Ｄのいずれかを予測して出力する。
【００１９】
エラー訂正部１３１はオフセット生成部１４０から出力される予測オフセット語及びレジスタ１２０の出力（２６ビットのＲＤＳデータ）が入力される。ＲＤＳデータのうち下位１０ビットの付加語と、予測オフセット語とから検査語を求めてエラー検出を行い、訂正可能（訂正能力を超えていない）か否か判定する。エラー訂正可能と判定した場合はエラー訂正を行う。
【００２０】
エラー訂正されたデータは訂正データレジスタ１６０へ出力される。また、エラー検出結果及びエラー訂正数（エラー訂正されたビット数）がパターン判定部１３２へ出力される。
【００２１】
パターン判定部１３２はエラー検出結果及びエラー訂正数に基づき、擬似エラーの発生の有無を検出する。例えばエラー無しという検出結果と、１以上のエラー訂正数が入力された場合、エラー訂正部１３１において擬似エラーが発生していることがある。エラー検出結果とエラー訂正数の双方を比較することで擬似エラーの発生を検出する。
【００２２】
また、パターン判定部１３２には訂正閾値が設定される。訂正閾値はユーザが任意に設定することができ、好適には１又は２である。パターン判定部１３２はエラー訂正数が訂正閾値以下の場合、オフセット生成部１４０から出力された予測オフセット語を用いてＲＤＳデータのエラー訂正が正しく行えた、すなわち予測オフセット語が正しいものであったと判定し、値が１のパターンマッチフラグを出力する。エラー訂正数が訂正閾値を超えていた場合は予測オフセット語が誤ったものと判定し、値が０のパターンマッチフラグを出力する。
【００２３】
同期判定部１５０はパターンマッチフラグ及び予測オフセット語が入力される。同期判定部１５０は、今回入力された２６ビットＲＤＳデータブロックに対して正しいと判定された予測オフセット語と、前回入力された２６ビットＲＤＳデータブロックに対して正しいと判定された予測オフセット語とが連続するか判定する。
【００２４】
ＲＤＳデータグループ中の４つのブロックに付加されるオフセット語はそれぞれ順番にＡ→Ｂ→Ｃ（又はＣ′）→Ｄとなっている。従って、同期判定部１５０は正しいと判定された予測オフセット語がこのような順番になっているかを検査し、この順になっている場合は同期が確立したと判定し、同期フラグを出力する。例えば同期が確立したときに同期フラグの値を１にする。同期フラグはオフセット生成部１４０及びコントローラ１７０に与えられる。
【００２５】
オフセット生成部１４０はパターンマッチフラグ及び同期判定フラグに基づいて予測オフセット語を出力する。オフセット生成部１４０は同期が確立した場合、正しいオフセット語を出力したと判定し、以後オフセット語をＡ→Ｂ→Ｃ（又はＣ′）→Ｄ→Ａ→…の順に出力していく。
【００２６】
処理開始時等のどのオフセット語が正しいか分からず、オフセット語の予測が出来ないときは、オフセット生成部１４０は１つのデータブロックに対してオフセット語Ａ、Ｂ、Ｃ（又はＣ′）、Ｄを順にすべて出力する。そして、パターンマッチした又はエラー訂正数が最も小さくなったオフセット語を正しいオフセット語と仮定して、次に出力するオフセット語を予測する。
【００２７】
コントローラ１７０は同期フラグに基づいて訂正データレジスタ１６０から出力される訂正データをＲＡＭ等のメモリや表示制御回路（共に図示せず）へ出力する。
【００２８】
このＲＤＳ対応受信装置による同期検出方法を図２に示すフローチャートを用いて説明する。
【００２９】
（ステップＳ２０１）訂正閾値が設定される。
【００３０】
（ステップＳ２０２）２６ビットのＲＤＳデータがレジスタ１２０から出力され、エラー訂正部１３１に与えられる。
【００３１】
（ステップＳ２０３）エラー訂正部１３１がＲＤＳデータと予測オフセット語とを用いてエラー検出を行う。
【００３２】
（ステップＳ２０４）エラー訂正が可能か否か判定される。訂正可能であればステップＳ２０５へ進む。
【００３３】
（ステップＳ２０５）エラー訂正部１３１にてエラー訂正される。エラー訂正の実行と共にエラー訂正数がカウントされ、エラー訂正数がパターン判定部１３２に出力される。パターン判定部１３２はエラー訂正数が訂正閾値以下であるか否か判定する。訂正閾値以下の場合はステップＳ２０６へ進む。
【００３４】
（ステップＳ２０６）予測オフセット語が正しいと判定され、パターンマッチフラグが出力される。
【００３５】
（ステップＳ２０７）１ブロック前のデータの予測オフセット語との連続性がとれているか判定される。とれている場合はステップＳ２０８へ進む。
【００３６】
（ステップＳ２０８）ＲＤＳデータの同期が確立したと判定され、同期フラグが出力される。以後、オフセット語がＡ→Ｂ→Ｃ（又はＣ′）→Ｄ→Ａ→…の順に出力される。
【００３７】
ステップＳ２０４でエラー訂正ができないと判定された時、ステップＳ２０５でエラー訂正数が訂正閾値より大きかった時、ステップＳ２０７で連続性がとれていないと判定された時はリターンとなり、ステップＳ２０２から処理が再開される。
【００３８】
このように予測オフセット語を用いて、エラー訂正が可能であり、かつエラー訂正数が訂正閾値以下であるか否か判定することにより同期検出を行うことで、エラーが含まれるデータに対しても同期をとることができるため、早期に同期確立できる。
【００３９】
また、オフセット語を予測して用いるため、オフセット検出に伴うシンドローム演算を省くことができ、処理負荷を軽減することができる。
【００４０】
（第２の実施形態）図３に本発明の第２の実施形態に係るＲＤＳ対応受信装置の概略構成を示す。ＲＤＳ対応受信装置はＲＤＳ復調器３１０、レジスタ３２０、誤り訂正処理部３３０、オフセット生成部３４０、同期判定部３５０、訂正データレジスタ３６０、コントローラ３７０、及びマルチプレクサ３８０を備える。誤り訂正処理部３３０はエラー訂正部３３１及びパターン判定部３３２を有する。
【００４１】
本実施形態によるＲＤＳ対応受信装置は図１に示す上記第１の実施形態によるＲＤＳ対応受信装置にさらにマルチプレクサ３８０を備えた構成となっている。
【００４２】
マルチプレクサ３８０はレジスタ３２０の出力及び訂正データレジスタ３６０の出力が与えられ、検査フラグの値に応じていずれか一方を選択して出力する。検算フラグはパターン判定部３３２にも与えられ、コントローラ３７０又は他の回路から出力される。
【００４３】
マルチプレクサ３８０は例えば検査フラグ値が０の時はレジスタ３２０の出力、検査フラグが１の時は訂正データレジスタ３６０の出力を選択して、出力する。
【００４４】
検査フラグ値を１と０交互に切り替えることで、エラー訂正されたデータについて再度エラーが検出されるか否か判定される。
【００４５】
一旦、予測オフセット語が正しいと判定された（パターンマッチフラグ値が１になった）後に、エラー訂正されたデータについてエラーが検出された場合、パターン判定部３３２は、エラー検出結果及び検算フラグ値に基づいて、パターンマッチを無効と判定し、パターンマッチフラグを０にする。
【００４６】
このＲＤＳ対応受信装置による同期検出方法を図４に示すフローチャートを用いて説明する。
【００４７】
（ステップＳ４０１）訂正閾値が設定される。
【００４８】
（ステップＳ４０２）マルチプレクサ３８０がレジスタ３２０から出力されるＲＤＳデータを選択して、エラー訂正部３３１へ出力する。
【００４９】
（ステップＳ４０３）エラー訂正部３３１がＲＤＳデータと予測オフセット語とを用いてエラー検出を行う。
【００５０】
（ステップＳ４０４）エラー訂正が可能か否か判定される。訂正可能であればステップＳ４０５へ進む。
【００５１】
（ステップＳ４０５）エラー訂正部３３１にてエラー訂正される。エラー訂正の実行と共にエラー訂正数がカウントされ、エラー訂正数がパターン判定部３３２に出力される。パターン判定部３３２はエラー訂正数が訂正閾値以下であるか否か判定する。訂正閾値以下の場合はステップＳ４０６へ進む。
【００５２】
（ステップＳ４０６）検算フラグが切り替わり、マルチプレクサ３８０が訂正データレジスタ３６０から出力されるエラー訂正後のデータを選択して出力する。そしてエラー訂正部３３１がエラー訂正後のデータと予測オフセット語とを用いてエラー検出を行う。予測オフセット語はステップＳ４０３と同じものである。
【００５３】
（ステップＳ４０７）エラー検出されなかった場合はステップＳ４０８へ進む。
【００５４】
（ステップＳ４０８）予測オフセット語が正しいと判定され、パターンマッチフラグが出力される。
【００５５】
（ステップＳ４０９）１ブロック前のデータの予測オフセット語との連続性がとれているか判定される。とれている場合はステップＳ４１０へ進む。
【００５６】
（ステップＳ４１０）ＲＤＳデータの同期が確立したことが検出され、同期フラグが出力される。以後、オフセット語がＡ→Ｂ→Ｃ（又はＣ′）→Ｄ→Ａ→…の順に出力される。
【００５７】
ステップＳ４０４でエラー訂正ができないと判定された時、ステップＳ４０５でエラー訂正数が訂正閾値より大きかった時、ステップＳ４０７でエラー検出された時、ステップＳ４０９で連続性がとれていないと判定された時はリターンとなり、ステップＳ４０２から処理が再開される。
【００５８】
このようにエラー訂正が可能であり、かつエラー訂正数が訂正閾値以下であることによりブロックパターン検出を行うことで、エラーが含まれるデータに対しても同期をとることができ、早期に同期確立できる。
【００５９】
また、オフセット語を予測して用いるため、オフセット検出に伴うシンドローム演算を省くことができ、処理負荷を軽減することができる。
【００６０】
ステップＳ４０４では、ＲＤＳデータに誤り訂正処理部３３０のエラー訂正能力を超えたエラー（例えば６ビット以上のエラー）が含まれている場合、エラー訂正可能と誤判定し、擬似パターンマッチが発生する虞がある。
【００６１】
ステップＳ４０６において、エラー訂正後のデータを用いて再度エラー検出処理を行い検算することで、擬似パターンマッチの発生を抑制することができる。
【００６２】
上述した実施の形態はいずれも一例であって限定的なものではないと考えられるべきである。
【００６３】
例えば、同期確立前と同期確立後とで訂正閾値を変えるようにしても良い。同期確立前はオフセット語の予測が難しく、擬似パターンマッチが発生し易い。従って、訂正閾値を大きくすると、擬似パターンマッチが起こり易くなり、正確な同期確立が困難になる。
【００６４】
一方、同期確立後はＲＤＳのアルゴリズムからオフセット語が予測しやすいため（Ａ→Ｂ→Ｃ（又はＣ′）→Ｄ→Ａ→…）、訂正閾値を大きくしても比較的正確にパターン検出できる。
【００６５】
訂正閾値の切り替えは、例えば、マルチプレクサＭＵＸに２種類の訂正閾値（Ｔ１、Ｔ２）を入力し、同期フラグの値に基づいていずれか一方を選択してパターン判定部へ出力するような構成で実現できる。このような構成を上記第１、第２の実施形態に適用した場合のＲＤＳ対応受信装置の概略構成をそれぞれ図５、図６に示す。
【００６６】
このような訂正閾値の切り替えを上記第１の実施形態に適用した場合の同期検出方法を図７に示すフローチャートを用いて説明する。
【００６７】
（ステップＳ７０１）同期確立前の訂正閾値Ｔ１、同期確立後の訂正閾値Ｔ２（Ｔ１＜Ｔ２）が設定される。
【００６８】
（ステップＳ７０２）ＲＤＳデータがエラー訂正部に与えられる。
【００６９】
（ステップＳ７０３）エラー訂正部がＲＤＳデータと予測オフセット語とを用いてエラー検出を行う。
【００７０】
（ステップＳ７０４）エラー訂正が可能か否か判定される。訂正可能であればステップＳ７０５へ進む。
【００７１】
（ステップＳ７０５）同期フラグの値に基づいて１つ前のデータブロックについて同期が確立しているか否か判定される。同期確立していない場合はステップＳ７０６へ進み、同期確立している場合はステップＳ７０７へ進む。
【００７２】
（ステップＳ７０６）エラー訂正部にてエラー訂正される。エラー訂正の実行と共にエラー訂正数がカウントされ、エラー訂正数がパターン判定部に出力される。エラー訂正数が訂正閾値Ｔ１以下の場合はステップＳ７０８へ進み、訂正閾値Ｔ１より大きい場合はステップＳ７０９へ進む。
【００７３】
（ステップＳ７０７）エラー訂正部にてエラー訂正される。エラー訂正の実行と共にエラー訂正数がカウントされ、エラー訂正数がパターン判定部に出力される。エラー訂正数が訂正閾値Ｔ２以下の場合はステップＳ７０８へ進み、訂正閾値Ｔ２より大きい場合はステップＳ７０９へ進む。
【００７４】
（ステップＳ７０８）予測オフセット語が正しいと判定され、パターンマッチフラグが出力される。
【００７５】
（ステップＳ７０９）パターンマッチがはずれた（予測オフセット語が誤っていた）と判定される。
【００７６】
（ステップＳ７１０）１ブロック前のデータのオフセット語との連続性がとれているか判定される。とれている場合はステップＳ７１１へ進む。
【００７７】
（ステップＳ７１１）ＲＤＳデータの同期が確立していることが検出される。以後、オフセット語がＡ→Ｂ→Ｃ（又はＣ′）→Ｄ→Ａ→…の順に出力される。
【００７８】
このように同期確立の前と後とで訂正閾値を変えることで、誤った同期確立を抑制しつつ早期に同期確立でき、また同期確立後は同期がはずれにくく、安定度の高いＲＤＳ対応受信装置とすることができる。
【００７９】
また、上記実施形態では同期確立前はすべてのオフセット語を候補として誤り訂正処理を行う。複数のオフセット語でエラー訂正可能であると判定された場合は、エラー訂正数の最も少ない予測オフセット語が正しいオフセット語であると判定するようにしても良い。エラー訂正数が少ない方が信頼性が高く、正確な同期検出処理を行うことができるからである。
【００８０】
また、オフセット生成部から出力されるオフセット語はＡ、Ｂ、Ｃ（又はＣ′）、Ｄの４種類であったが、Ａ、Ｂ、Ｃ（又はＣ′）、Ｄ、Ｅの５種類でも良い。
【００８１】
また、上記実施形態では予測オフセット語が２ブロック連続してパターンマッチした場合に同期が確立したと判定しているが、例えば連続する３ブロック中に２ブロックパターンマッチすれば同期確立したと判定するようにしても良い。
【００８２】
本発明の技術的範囲は特許請求の範囲によって示され、特許請求の範囲と均等の意味および範囲内でのすべての変更が含まれることが意図される。
【図面の簡単な説明】
【００８３】
【図１】本発明の第１の実施形態によるＲＤＳ対応受信装置の概略構成図である。
【図２】同第１の実施形態による同期検出方法を示すフローチャートでる。
【図３】本発明の第２の実施形態によるＲＤＳ対応受信装置の概略構成図である。
【図４】同第２の実施形態による同期検出方法を示すフローチャートでる。
【図５】変形例によるＲＤＳ対応受信装置の概略構成図である。
【図６】変形例によるＲＤＳ対応受信装置の概略構成図である。
【図７】変形例による同期検出方法を示すフローチャートでる。
【符号の説明】
【００８４】
１１０  ＲＤＳ復調器
１２０  レジスタ
１３０  誤り訂正処理部
１３１  エラー訂正部
１３２  パターン判定部
１４０  オフセット生成部
１５０  同期判定部
１６０  訂正データレジスタ
１７０  コントローラ
【図１】
2009105536.tif 000003
【図２】
2009105536.tif 000004
【図３】
2009105536.tif 000005
【図４】
2009105536.tif 000006
【図５】
2009105536.tif 000007
【図６】
2009105536.tif 000008
【図７】
2009105536.tif 000009